(57)【要約】【課題】  筐体の方位と傾きの大きさに応じて表示画像を切替える。【解決手段】  画像表示制御装置は、ＬＣＤ表示部４と、ＬＣＤ表示部４の表示面を含む所定の面を有する筐体とを有する携帯電話に搭載されて、筐体の所定の面の地面に対する傾き角度と、筐体の向いている方位とを５軸センサ５を用いて検出する。壁紙設定情報６２には、予め、複数種類の傾きのそれぞれと複数種類の方位のそれぞれと壁紙データエリア６１中の複数の壁紙の画像データそれぞれの識別子とが対応付けて格納されている。ＣＰＵ１１は、検出された傾き角度および方位に基づき壁紙設定情報６２を検索して、該当する傾きの種類および方位の種類に対応する識別子に基づき、壁紙テーブルエリア６１から対応の壁紙の画像データを読出し、読出した画像データの壁紙をＬＣＤ表示部４に表示する。【選択図】        図１
2006157182.tif 000002
【特許請求の範囲】
【請求項１】
表示部と、前記表示部の表示面を含む所定の面を有する筐体とを有する携帯端末の画像表示制御装置であって、
前記筐体の前記所定の面の地面に対する傾き角度を検出する傾き検出部と、
前記筐体の向いている方位を検出する方位検出部と、
複数種類の前記傾きのそれぞれと複数種類の前記方位のそれぞれと複数の画像データそれぞれとを対応付けて予め格納した画像データ格納部と、
前記画像データ格納部から、前記検出した傾き角度および前記検出した方位に該当する種類の前記傾きおよび前記方位に対応する前記画像データを検索する画像データ検索部と、
前記画像データ検索部により検索された前記対応の画像データに基づく画像を前記表示部に表示する画像表示部とを備えた、携帯端末の画像表示制御装置。
【請求項２】
前記画像データ検索部は、前記検出した傾き角度に該当する傾きの種類を判別し、判別した前記種類を前記画像データの検索に用いることを特徴とする、請求項１に記載の携帯端末の画像表示制御装置。
【請求項３】
前記傾き検出部は、前記傾き角度として、前記所定の面に垂直である仮想的な軸の、地面に垂直である仮想的な軸に対する傾き角度を検出することを特徴とする、請求項１に記載の携帯端末の画像表示制御装置。
【請求項４】
前記方位検出部は、前記筐体の向いている方位として、前記所定の面に水平である仮想的な軸が向いている方位を検出することを特徴とする、請求項１に記載の携帯端末の画像表示制御装置。
【請求項５】
前記傾きの種類は、表と裏の２種類であって、
前記裏は、前記所定の面が前記地面に相対している場合において検出される前記傾き角度に該当する傾きの種類であり、
前記表は、前記所定の面が前記地面とは反対側に向いている場合において検出される前記傾き角度に該当する傾きの種類であることを特徴とする、請求項１に記載の携帯端末の画像表示制御装置。
【請求項６】
前記所定の面に水平であり且つ直交するＸ軸とＹ軸、および前記所定の面に垂直であり且つ前記Ｘ軸および前記Ｙ軸と直交するＺ軸を想定した場合の、地磁気の前記Ｘ軸の成分、前記Ｙ軸の成分および前記Ｚ軸の成分のそれぞれを検出する磁気センサをさらに備えて、
前記方位検出部および前記傾き角度検出部は、前記磁気センサの検出結果に基づき前記方位および前記傾き角度をそれぞれ検出することを特徴とする、請求項１に記載の携帯端末の画像表示制御装置。
【請求項７】
前記筐体が動いたか否かを検出する移動検出部をさらに備えて、
前記移動検出部により前記筐体が動いたと検出されたことに応じて、前記傾き検出部と前記方位検出部とを能動化して、前記傾き角度の検出と前記方位の検出をそれぞれ行なうことを特徴とする、請求項１に記載の携帯端末の画像表示制御装置。
【請求項８】
前記移動検出部は、
前記筐体に対して加えられた加速度に基づいて、前記筐体が動いたか否かを検出することを特徴とする、請求項７に記載の携帯端末の画像表示制御装置。
【請求項９】
前記移動検出部は、
前記筐体の所定の方向の磁気成分を検出する所定の磁気検出部と、
前記所定の磁気検出部の検出値を記憶する検出値記憶部とを含み、
或る時点での前記所定の磁気検出部の検出値と前記検出値記憶部に記憶されたそれ以前の前記検出値とを比較し、当該比較結果に基づいて、前記筐体が動いたか否かを検出する、請求項８に記載の携帯端末の画像表示制御装置。
【請求項１０】
前記携帯端末は、
前記所定の面を有する筐体を第１の筐体とし、前記第１の筐体とは異なる第２の筐体と、前記第１の筐体と前記第２の筐体とを接続するヒンジ部とをさらに有し、
前記画像表示制御装置は、
前記第１筐体と前記第２の筐体が、前記所定の面を介在させるようにして、前記ヒンジ部を介して折畳まれた状態にあるか否かを検出する折畳み検出部をさらに備えて、
前記折畳み検出部により前記折畳まれた状態にあると検出された場合においては、前記傾き検出部と前記方位検出部とを非能動化して、前記傾き角度の検出と前記方位の検出は行なわれないことを特徴とする、請求項１に記載の携帯端末の画像表示制御装置。
【発明の詳細な説明】
【技術分野】
【０００１】
この発明は携帯端末の画像表示制御装置に関し、特に、端末の向きに応じて表示画像を切替える携帯端末の画像表示制御装置に関する。
【背景技術】
【０００２】
最近の携帯端末の代表的なものとして携帯型電話機がある。携帯型電話機は、広く普及しており、その機能としては電話機能のみならず、ゲーム機能、音楽再生機能など各種機能が搭載されている。このようなゲーム機能や音楽再生機能は、着信を待受ける期間（未着信の期間）において利用される。このように、待受け期間は娯楽性が要求される面が大きい。そこで、携帯型電話機の表示部には、待受け画面としての画像（以下、壁紙という）が表示される。
【０００３】
また、携帯型電話機には、最近は磁気センサなどの方位センサを搭載したものがあり、より娯楽性を高めるために、検出される方位の情報に応じて出力する情報（画像や音声など）を切替える機能が搭載されている。
【０００４】
たとえば特許文献１には、地磁気センサにより得られる方位情報（装置本体が向いている方位）に対応して画像と音を出力することが記載されている。
【０００５】
また、特許文献２においては、本体が折畳まれる際にディスプレイに待受け画面として表示する画像を、予め記憶された複数の画像の中からランダムに選択した画像に変更することにより、携帯電話機の興趣性を高めることが記載されている。
【０００６】
また、特許文献３には、電子コンパスを内蔵することにより、必要なときに方位を容易に計測して、その計測結果を画面に表示することができ、特に、計測された方位に対応して画面背景の表示色を変更することが記載されている。
【特許文献１】特開２００３−１７９６８５号公報
【特許文献２】特開２００３−３２４５０５号公報
【特許文献３】特開２００４−９６４１６号公報
【発明の開示】
【発明が解決しようとする課題】
【０００７】
上述の特許文献２や特許文献３には携帯端末の向きを検知して、対応する画像などを表示することや背景の表示色を変更することが記載されている。また、特許文献２には、本体が折畳まれたことを検知して、待受け画面を変更することが記載されている。しかしながら、いずれの特許文献においても、端末の地面に対する傾きの程度に従い表示画像を切替えることはできないので、その点で、高い娯楽性を得ることができていなかった。
【０００８】
それゆえにこの発明の目的は、筐体の方位と傾きの大きさに応じて表示画像を切替えることができる携帯端末の画像表示制御装置を提供することである。
【課題を解決するための手段】
【０００９】
この発明のある局面に従う画像表示制御装置は、表示部と、表示部の表示面を含む所定の面を有する筐体とを有する携帯端末の装置であって、筐体の所定の面の地面に対する傾き角度を検出する傾き検出部と、筐体の向いている方位を検出する方位検出部と、画像データ格納部と、画像データ検索部と、画像表示部とを備える。
【００１０】
画像データ格納部には、予め、複数種類の前記傾きのそれぞれと複数種類の前記方位のそれぞれと複数の画像データそれぞれとが対応付けて格納されている。画像データ検索部は、検出された傾き角度および検出された方位に該当する傾きの種類および方位の種類に対応する画像データを、画像データ格納部から検索する。画像表示部は、画像データ検索部により検索された対応の画像データに基づく画像を表示部に表示する。
【発明の効果】
【００１１】
本発明によれば、携帯端末の筐体が向いている方位と筐体の所定面の地面に対する傾きの状態によって、表示部に表示する画像を切替えることができるから、娯楽性を高めることができる。
【発明を実施するための最良の形態】
【００１２】
以下、この発明の実施の形態について図面を参照し説明する。ここでは携帯型端末として携帯型電話機を例示しているがこれに限定されず、画像の表示部を有する筐体を備える端末であれば同様に適用することができる。
【００１３】
図１を参照して携帯型電話機（以下、携帯電話という）は、通信のためのアンテナ１および無線通信制御部２、ＬＣＤ（Liquid Crystal Display）表示部４、５軸センサ５、記憶部６、制御部７、テンキーおよび各種ボタンを備えてユーザ操作による情報を入力するための操作入力部８、バッテリなどの電源部９、磁場を検出する１つまたは複数のセンサを有するヒンジセンサ１０、通話のためのスピーカ１７およびマイク１８、ならびに撮影のためのカメラ１９を備える。
【００１４】
制御部７は他の各部を制御・監視するためにＣＰＵ（Central Processing Unit）１１、各種のプログラムおよびデータを格納するためのＲＯＭ（Read Only Memory）１２およびＲＡＭ（Random Access Memory）１３を有する。ＲＯＭ１２には、後述する表裏別テーブル１４１、方位テーブル１４２およびしきい値データＨＤが予め格納される。しきい値データＨＤはヒンジセンサ１０の出力レベルと比較照合される。ＲＡＭ１３には前回加速度データＡＳが格納される。前回加速度データＡＳは携帯電話に加えられる重力加速度の変化を検出するために参照される。制御部７に接続された記憶部６には、複数種類の壁紙の画像データを格納する壁紙データエリア６１が設けられるとともに、壁紙設定情報６２が格納される。
【００１５】
携帯電話は図２に示すように、主に、第１の筐体２２と第２の筐体２４から構成される。ここでは、携帯電話は２つの筐体を有するとしているが、表示部を有する１つの筐体のみを有していてもよいし、少なくとも１つの筐体に表示部を備える３個以上に分かれた筐体を有していてもよい。
【００１６】
図２を参照して第１の筐体２２には、突出部２８が取付けられている。突出部２８には、ヒンジ部２３が、当該突出部２８の左右両端と接続されるように、仮想の軸Ａ１を回転軸として回動可能に取付けられている。ヒンジ部２３には、第２の筐体２４が、当該ヒンジ部２３に対して仮想の軸Ａ２を回転軸として回動可能に取付けられている。ヒンジ部２３は第２の筐体２４を軸Ａ２で回動させるためのヒンジと第２の筐体２４を軸Ａ１で回転させて折畳むためのヒンジを備える。各ヒンジは、同じ仕組みを有しており、回動させるためのヒンジに関しては、ヒンジ部２３と筐体２４との境界の筐体２４側に磁石を有し、ヒンジ部２３側に当該磁石が接している状態であるか否かを検出する（磁場を検出する）センサを有する。折畳むためのヒンジに関しては、スピーカ１７付近とマイク孔１８Ａ付近とにおいて、一方には磁石が設けられて、他方には当該磁石に係る磁場を検出するためのセンサが設けられる。磁場を検出するこれらセンサはヒンジセンサ１０を構成する。
【００１７】
この２つのセンサの検出結果に基づき、ＣＰＵ１１は、図２の開いた状態であるか、筐体が折畳まれた状態（図３参照）か、図２の状態において軸Ａ２で筐体２４が回動している状態であるか、図３の状態で筐体２４が回動している状態であるかを検知する。
【００１８】
図２を参照して第１の筐体２２には、その主面上に、ユーザが電話番号や文字や記号などの情報の入力、および各種機能の起動／停止の指示入力のための入力ボタン群８Ａおよび機能ボタン群８Ｂが設けられ、さらに、マイク１８に音声を入力するための第１のマイク孔１８Ａ、および、第２のマイク孔１８Ｂが設けられている。また、第１の筐体２２の側面には、カメラ１９のシャッタボタン８Ｃが設けられている。操作入力部８は入力ボタン群８Ａ、機能ボタン群８Ｂおよびシャッタボタン８Ｃを含む。
【００１９】
第２の筐体２４には、その主面に、ＬＣＤ表示部４の表示画面４Ａおよびスピーカ１７を備える。
【００２０】
ここで、５軸センサ５について説明する。図４（Ａ）を参照して、５軸センサ５は表示画面４Ａを有する第２の筐体２４に内蔵されている。５軸センサ５は、携帯電話の第２の筐体２４を地面と水平になるように置いた場合において、その水平面内において直交する２つの軸（Ｘ軸とＹ軸）とこの２つの軸それぞれに直交し、かつ地面に垂直のＺ軸を想定したとき、Ｘ軸、Ｙ軸およびＺ軸のそれぞれの方向についての地磁気成分を検出するための磁気センサ５２と、Ｘ軸およびＹ軸のそれぞれの方向についての重力加速度成分を検出するための加速度センサ５１とを含む。加速度センサ５１は電圧信号（ｍＶ）であるＸ軸方向の重力加速度成分信号ＸＶ１とＹ軸方向の重力加速度成分信号ＹＶ１とを出力１６として導出する。磁気センサ５２は、Ｘ軸、Ｙ軸およびＺ軸のそれぞれについての電圧信号（ｍＶ）である地磁気成分を地磁気成分信号ＸＶ２、ＹＶ２およびＺＶ２を出力１６として導出する。加速度センサ５１と磁気センサ５２は同時に能動化されることはなく、選択的に一方が能動化される。つまり、両者は制御部７のＣＰＵ１１が出力する選択指示信号１５を入力し、入力した選択指示信号１５が加速度センサ５１の選択を示すときには加速度センサ５１が検出動作して出力１６を導出し、選択指示信号１５が磁気センサ５２の選択を示すときには、磁気センサ５２が検出動作して出力１６を導出する。
【００２１】
携帯電話において、上述のように５軸センサ５は、表示画面４Ａが設けられた第２の筐体２４に内蔵されており、第２の筐体２４の主面および当該主面の裏面に沿う面内に、Ｘ軸およびＹ軸が定義されており、当該主面およびその裏面に対して垂直な方向にＺ軸が定義されている。
【００２２】
本実施の形態に係る携帯電話ではＬＣＤ表示部４の表示画面４Ａの壁紙が、第２の筐体２４が向く方位と地面に対する傾きの程度に応じて、切替えられる。
【００２３】
ＣＰＵ１１は、磁気センサ５２の出力１６に基づいて第２の筐体２４が向いている方位を検出する。また、磁気センサ５２の出力１６中のＺ軸の地磁気成分信号ＺＶ２に基づいて第２の筐体２４が表を向いているか、または裏を向いているかを検出する。
【００２４】
図５には、検出する方位の種類の一例が示される。図５を参照して、検出される方位は、東（Ｅ）、西（Ｗ）、南（Ｓ）および北（Ｎ）を基準にして、方位（１）〜（８）（図中は丸付きの数値で示されている）の８種類に分類されている。ここでは、方位の種類は８個としているが、８個に限定されるものではない。またこの方位の分割数はメーカが予め固定に設定していてもよいし、ユーザが任意に変更できるようにしてもよい。図５では東（Ｅ）を基点（０°）にして、北（Ｎ）→西（Ｗ）→南（Ｓ）→東（Ｅ）に巡るに従い４５°ごとに方位（１）〜（８）が分割されている。たとえば、ＣＰＵ１１は磁気センサ５２の出力１６が、東（Ｅ）を基点に北（Ｎ）方向に４５°の範囲に該当する電圧レベルを示すときは、第２の筐体２４は方位（１）に向いていると検知（決定）する。
【００２５】
図６（Ａ）と（Ｂ）には方位の決定例が示される。図６（Ａ）は携帯電話が開かれた状態（図２参照）を示し、図６（Ｂ）は携帯電話が折畳まれた状態であって、第２の筐体２４が軸Ａ２について回動することにより、表示画面４Ａが第１の筐体２２側とは反対側に向けられた状態が示されている。携帯電話が向いている方位（方向）の決定は携帯電話に設けた向きの基準を用いて行なう。５軸センサ５は第２の筐体２４側に内蔵されているので、図中の矢印のようにヒンジ部２３が取付けられた突出部２８からＬＣＤ表示部４（表示画面４Ａ）に向かうような図５（Ａ）のＹ軸の方向を、携帯電話の向きの基準として考える。したがって、図６（Ａ）の場合には、携帯電話の向きは方位（２）と検知されるが、そのまま携帯電話を折畳み図６（Ｂ）の状態とした場合には、携帯電話の向きは方位（６）と検知される。
【００２６】
このような方位検知のためにＲＯＭ１２には図７に示すような方位テーブル１４２が予め格納されている。方位テーブル１４２は方位（１）〜（８）を示す方位データ１６０のそれぞれに対応して該方位に携帯電話が向けられたときの磁気センサ５２の出力１６の信号レベル（ｍＶ）が格納されている。方位に対応する出力１６の信号レベルは予め実験などにより求めておく。
【００２７】
したがって、ＣＰＵ１１は磁気センサ５２の出力１６のレベルに基づき、方位テーブル１４２を検索することにより、該出力１６のレベルに対応する方位データ１６０、すなわち第２の筐体２４が向いている方位を読出すことができる。
【００２８】
次に、携帯電話が表と裏のいずれの向きであるかの情報と、方位の情報とに基づき、表示する壁紙を変更する手順について説明する。
【００２９】
（実施例１）
携帯電話の表と裏の向きは、たとえば図８（Ａ）〜（Ｆ）に示されるように、地面に対して表示画面４Ａが相対しているのか、すなわち裏向きか、地面とは反対側を向いているのか、すなわち表向きかで定義する。図８の紙面を地面と想定した場合、図２の開いた状態の携帯電話については、図８（Ａ）は表を向いていると定義され、図８（Ｂ）は図８（Ａ）の状態から携帯電話自体を１８０°回転させたもので裏を向いていると定義され、図８（Ｂ）の状態において筐体２４を軸Ａ２について回動させることにより表示画面４Ａを図８（Ｂ）から１８０°回転させた図８（Ｃ）の状態は、表を向いていると定義され、図８（Ｃ）の状態から携帯電話自体を１８０度回転させた図８（Ｄ）の状態は、裏を向いていると定義される。これに対して図８（Ｅ）と（Ｆ）は筐体が折畳まれた状態を示す。図８（Ｅ）は図８（Ａ）または図８（Ｃ）の状態から筐体を折畳んだ後の状態を示す。図８（Ｅ）は裏を向いているとされ、図８（Ｆ）は表を向いているとされる。ここでは、図８（Ｅ）は外部から表示画面４Ａを見ることはできない状態であり、壁紙を含む何らの表示も制御する必要はない状態といえる。ここでは、図８（Ｅ）のような状態を“ＣＬＯＳＥ裏”と呼ぶ。
【００３０】
図９を参照して、表向きと裏向きについてさらに説明する。図９を参照すると、第２の筐体２４の表示画面４Ａが設けられた面が地面に対して図９の実線矢印方向を向くとき表向きとされ、破線矢印方向を向くとき裏向きと判別される。表向きであるか裏向きであるかは磁気センサ５２のＺ軸方向の地磁気成分信号ＺＶ２のレベルに基づいて判別される。
【００３１】
具体的には、ＣＰＵ１１は磁気センサ５２から導出された出力１６中の地磁気成分信号ＺＶ２に基づき、表向きであるか裏向きであるかを判別するが、判別のために、図１０の表裏別テーブル１４１が参照される。表裏別テーブル１４１は表裏別データ１４０の‘表’と‘裏’のそれぞれに対応して、地磁気成分信号ＺＶ２の信号レベル（ｍＶ）の幅（レンジ）が格納されている。携帯電話が図８（Ａ）〜（Ｆ）で示すような‘表’または’裏‘の向きに応じた地磁気成分信号ＺＶ２のレベルの幅は予め実験により求められて表裏別テーブル１４１に格納されている。
【００３２】
ここでは、表裏別テーブル１４１の地磁気成分信号ＺＶ２のレベルが所定幅（レンジ）で登録されているが、幅を有した値（値域）としてではなく１個の値で登録されてもよい。つまり、第２の筐体２４の表示画面４Ａが設けられた面が地面に対して水平で且つ図９の実線矢印方向を向くとき表向きとされ、同様に水平で且つ破線矢印方向を向くとき裏向きと判別される場合には、地磁気成分信号ＺＶ２のレベルは表と裏についてそれぞれ唯一の値が表裏別テーブル１４１に登録される。
【００３３】
したがって、ＣＰＵ１１は、その時点で検知した地磁気成分信号ＺＶ２のレベルに基づき表裏別テーブル１４１を検索することにより、当該レベルに該当のレンジに対応の表裏別データ１４０を読出し、その時点の第２の筐体２４の向き、すなわち携帯電話の向きが‘表’か‘裏’かを判別できる。なお、検索の結果、検知した地磁気成分信号ＺＶ２のレベルが表裏別テーブル１４１に登録の地磁気成分信号ＺＶ２のレベルのいずれにも該当しない場合には、ＣＰＵ１１は検索結果として‘不定’と判別する。
【００３４】
このように、ＣＰＵ１１は、５軸センサ５の出力１６に基づき判別した携帯電話の方位と向き（表または裏）とに応じて、ＬＣＤ表示部４に表示する壁紙を切替える。そのために、ＣＰＵ１１は記憶部６の壁紙設定情報６２を参照する。
【００３５】
本実施例１の壁紙設定情報は、図１１に示すように複数のレコードを有する。各レコードは設定名データ６２１、方位データ６２２、表・裏データ６２３および壁紙識別子６２４を対応付けて含む。設定名データ６２１は当該レコードを一意に識別するためのデータである。方位データ６２２は、図５に示した方位（１）〜（８）の種類を示すデータである。表・裏データ６２３は、携帯電話の表向きまたは裏向きの種類を示すデータである。壁紙識別子６２４は、記憶部６の壁紙データエリア６１に予め格納されている複数種類の壁紙のための画像データを一意に識別するための情報である。図１１では、携帯電話の方位と表・裏の別とに応じて壁紙として表示される画像データが異なるように設定されていることがわかる。
【００３６】
次に、図１２と図１３のフローチャートを参照して、本実施例１によるＬＣＤ表示部４に表示される壁紙の切替制御について説明する。図１２と図１３のフローチャートに従うプログラムは予めＲＯＭ１２に格納されており、ＣＰＵ１１がＲＯＭ１２から該プログラムの命令を読出して実行することにより、図１２または図１３の処理が実行される。図１２のフローチャートに従うプログラムは、ここでは、所定間隔で周期的に実行が開始されると想定する。なお、周期的な起動タイミングとなった時点で、図１２のフローチャートに従うプログラムが実行中であるときには、当該実行が終了した時点で、実行が開始される。
【００３７】
なお、図１２の処理の開始時点ではＬＣＤ表示部４には何らかの画像が表示されていると想定する。
【００３８】
本実施例１では、図１２のフローチャートに従う処理により、携帯電話に対して何らかの加速度が加えられたことが検出されると、すなわち、ＣＰＵ１１は、加速度センサ５１の出力１６に基づき検出される加速度データとＲＡＭ１３に格納されている前回検出した加速度データＡＳとの比較結果に基づき、加速度の変化を検出すると、図１３に示されるパノラマ壁紙処理ルーチンが起動される。図１３の処理ルーチンでは、磁気センサ５２の出力１６に基づき、方位テーブル１４２および表裏別テーブル１４１を検索して方位データ１６０と表裏別データ１４０とを読出す。ＣＰＵ１１は読出した方位データ１６０および表裏別データ１４０と、壁紙設定情報６２の各レコードに格納された方位データ６２２および表・裏データ６２３のそれぞれと比較照合し、照合一致するレコードがあれば、当該レコードに格納された壁紙識別子６２４に基づき、壁紙データエリア６６１から該当する壁紙データを読出し、当該壁紙データに基づく壁紙をＬＣＤ表示部４に表示する。具体的な手順を以下に説明する。
【００３９】
図１２を参照して、まず、ＣＰＵ１１は５軸センサ５をオン（電源部９からの電源を供給開始）し、加速度センサ５１を選択して能動化するための選択指示信号１５を５軸センサ５に出力するので、加速度センサ５１は起動する。そして、ＣＰＵ１１は加速度センサ５１から導出される加速度成分信号ＸＶ１およびＹＶ１からなる出力１６を入力する（ステップＴ（以下、Ｔと略す）１）。そして、出力１６を携帯電話が第２の筐体２４に対して与えられた加速度のデータに変換して、変換して得られた加速度データと予めＲＡＭ１３に格納している前回格納した加速度データＡＳとを比較し、比較結果に基づき差分が生じているか否か、すなわち第２の筐体２４に加速度が与えられたか否か（すなわち第２の筐体２４が動いたか否か）を判別する（Ｔ３）。なお、この加速度データＡＳは、携帯電話の電源がオフされる毎にリセット（初期値、たとえば“０”などにセット）される。ここでは、上述の比較の結果、差が生じていれば加速度が与えられたと判別するが、この判別手順に限定されない。たとえば、さらに、この差分と予め定めた所定値とを比較して、比較結果、差分が所定値を超えた場合において、加速度が与えられたと判別するようにしてもよい。
【００４０】
上述の判別結果、差がない場合には、第２の筐体２４に加速度が与えられていない、すなわち携帯電話は動いていないと判別され（Ｔ３でＮＯ）、５軸センサ５はオフ（電源の供給が断たれる）して（Ｔ１１）、一連の処理は終了する。一方、差がある場合には、すなわち第２の筐体２４に加速度が与えられて携帯電話は動いていると判別されると（Ｔ３でＹＥＳ）、ＣＰＵ１１は、今回取得した加速度データを用いてＲＡＭ１３の加速度データＡＳを更新する。
【００４１】
次にＣＰＵ１１は、ヒンジセンサ１０の出力を入力して（Ｔ５）、ヒンジセンサ１０の出力値と、ＲＯＭ１２に格納されているしきい値データＨＤとを比較し、比較結果に基づき携帯電話が図８（Ｅ）のＣＬＯＳＥ裏の状態であるか否かを判別する（Ｔ７）。しきい値データＨＤは、ＣＬＯＳＥ裏の状態であるときのヒンジセンサ１０の出力を示すデータであり、実験などにより予め取得していると想定する。比較の結果、ヒンジセンサ１０の出力値がしきい値データＨＤの値と一致すれば、壁紙を含む何らの表示も制御する必要はないので、Ｔ１１の処理をして、一連の処理が終了する。そうでなければ、ＣＰＵ１１は図１３のパノラマ壁紙処理ルーチンを起動する。
【００４２】
このように加速度が検出されず第２の筐体２４が動いたと検出されない場合、またはＣＬＯＳＥ裏の状態と検出される場合においては、５軸センサ５に対する電源供給はオフされて、磁気センサ５２を用いた方位の検出と傾き（表裏の別）の検出はされないから、不要な検出動作は回避できて、無駄な電力消費を回避できる。
【００４３】
パノラマ壁紙処理ルーチンにおいては、まずＣＰＵ１１は操作入力部８の所定キーなどが操作されてユーザによりパノラマ壁紙モードが有効に設定済みであるか否かを判別する（ステップＳ（以下、単にＳと略す）１）。当該パノラマ壁紙モードが有効に設定されていなければ（Ｓ１でＮＯ）、パノラマ壁紙処理ルーチンを終えて、図１２の処理に戻る。一方、パノラマ壁紙モードが有効に設定されていると判別すると（Ｓ１でＹＥＳ）、方位・表裏の情報を検出する（Ｓ５）。
【００４４】
具体的には、選択指示信号１５を用いて磁気センサ５２を能動化し、能動化された磁気センサ５２により導出された出力１６に基づき、図７の方位テーブル１４２を検索して携帯電話（第２の筐体２４）の方位データ１６０を読出すとともに、出力１６中のＺ軸の地磁気成分信号ＺＶ２に基づき表裏別テーブル１４１を検索して対応の表裏別データ１４０を読出す。
【００４５】
その後、ＣＰＵ１１は、読出した方位データ１６０および表裏別データ１４０それぞれを、壁紙設定情報６２の各設定名データ６２１で示される複数のレコードそれぞれの方位データ６２２および表・裏データ６２３と比較照合する（Ｓ７、Ｓ１９、…、Ｓ３１）。このような各レコードとの比較結果、読出した方位データ１６０および表裏別データ１４０それぞれと一致する方位データ６２２および表・裏データ６２３を格納したレコードは登録されていないと判別された場合には（Ｓ３１で不一致）、ＬＣＤ表示部４には図１２の処理開始時の画像が表示されたままで、図１２の処理に戻る。
【００４６】
一方、壁紙設定情報６２の各レコードとの比較において、読出した方位データ１６０および表裏別データ１４０それぞれと一致する方位データ６２２および表・裏データ６２３を格納したレコードが特定されると、特定されたレコードの壁紙識別子６２４を読出し、読出した壁紙識別子６２４に基づき壁紙データエリア６１を検索して、対応する壁紙データを読出し、読出した壁紙データに基づく壁紙の画像をＬＣＤ表示部４に表示する（Ｓ９）。
【００４７】
その後、ＣＰＵ１１はユーザにより操作入力部８の所定キーが操作されて、パノラマ壁紙モードが無効化されたか否かを判別する（Ｓ１１）。ユーザが操作入力部８を操作してパノラマ壁紙モードを無効に切替えた場合には無効と判別されて（Ｓ１１でＹＥＳ）、図１２の処理に戻る。
【００４８】
一方、パノラマ壁紙モードが有効の状態のままと判別されると（Ｓ１１でＮＯ）、ヒンジセンサ１０の出力を入力して（Ｓ１５）、当該出力に基づきＣＬＯＳＥ裏の状態にあるか否かを判別する（Ｓ１７）。判別結果、ＣＬＯＳＥ裏の状態であれば、処理は図１２の処理に戻り、そうでなければＳ５の処理に戻り、以降の手順が同様にして繰返される。
【００４９】
このように携帯電話の方位と向き（裏向きまたは表向き）との別に応じて、ＬＣＤ表示部４の表示される壁紙を切替えることができる。
【００５０】
（実施例２）
実施例１では、携帯電話の向き（傾き）は、図８（Ａ）〜（Ｆ）のように、表向きまたは裏向きかのいずれかであったが、本実施例では、携帯電話の向きは、地面に対する携帯電話（ＬＣＤ表示部４を有する第２の筐体２４）の傾きによって判別する。傾きに基づく判別により、携帯電話の向きは表と裏の２つだけでなく、その間の‘中間’という向きを設けることが可能となって、より変化に富んだ壁紙の変更機能を提供できる。
【００５１】
図１４と図１５に示されるように、携帯電話の方位と同様に、携帯電話の向きの決定も、携帯電話についての向きの基準を設けて行なう。図１５の例では、第２の筐体２４が地面に対して水平であって、且つ表示画面４Ａが地面に対して相反する向きにあるときを傾き０°とする。図１４のように第２の筐体２４の傾きの角度に従って携帯電話の傾きの種類は表、裏および中間のいずれであるかの決定を行なう。
【００５２】
図１６（Ａ）〜（Ｃ）には、図２の開いた状態の携帯電話の筐体の長手方向側面から見た場合の、第２の筐体２４の地面に対する傾きの程度が模式的に示されている。図１６（Ａ）〜（Ｃ）を参照して、地磁気成分信号ＺＶ２と第２の筐体２４の傾きとの関係を示す。図１６（Ａ）〜（Ｃ）において、破線Ｌは地面に対して垂直な方向を示し、直線Ａ３は第２の筐体２４のＺ軸方向を示し、また、図１６（Ｂ）は破線Ｌと直線Ａ３とが一致し重なっている状態を示している。そして、本実施例では、上述したような筐体の傾きが、破線Ｌの軸に対する直線Ａ３（第２の筐体２４のＺ軸）の傾きの大きさを示している。図１６（Ａ）には地磁気成分信号ＺＶ２が傾き５°に相当のレベルを示すときの第２の筐体２４が示されて、図１６（Ｂ）には、地磁気成分信号ＺＶ２が傾き０°に相当のレベルを示すときの第２の筐体２４が示される。図１６（Ｃ）には地磁気成分信号ＺＶ２が傾き３５５°に相当のレベルを示すときの第２の筐体２４が示される。
【００５３】
ここで、傾きの種類は、地磁気成分信号ＺＶ２の信号レベルが、図１４を参照して、０°を基準にして傾き±４５°の範囲に相当のレベルを示す場合においては“表”を、同様に９０°を基準にして傾き±４５°の範囲または２７０°を基準にして傾き±４５°の範囲に相当のレベルを示す場合においては“中間”（表でもなく裏でもない）を、同様にして１８０°を基準にして傾き±４５°の範囲に相当のレベルを示す場合においては“裏”をそれぞれ示す。
【００５４】
本実施例２では、表裏の他に、さらに、“中間”の向きが設けられたことにより、表裏別テーブル１４１は図１７のように、図１４と図１５に従い、地磁気成分信号ＺＶ２のレベルのレンジ毎に表、中間および裏の表裏別データ１４３が格納されている。
【００５５】
また、図１１の壁紙設定情報６２は図１８のように変更される。図１８の壁紙設定情報６２は、方位テーブル１４２から読出した方位データ１４０と表裏別テーブル１４１から読出した表裏別データ１４３とに基づき図１８の壁紙設定情報６２を実施例１と同様に検索することにより、これに一致する方位データ６２２と表・中間・裏データ６２５を有するレコードの壁紙識別子６２４を示す壁紙データを用いて表示壁紙を切替えできる。
【００５６】
本実施例は、携帯電話の向きが表・裏・中間の３種類に変更された他は、実施例１と変更はなく、図１２と図１３に示す手順が同様に適用される。
【００５７】
このように本実施例では、携帯電話の方位と傾き（裏、表、中間）とに基づき表示される壁紙を切替えするから、より変化に富んだ壁紙の変更が可能となる。また、方位と向きに応じて切替えることで例えばパノラマ画像を構成する壁紙の切替えが可能となって、ユーザは携帯電話を持ちながら方位や傾きを変更することでパノラマ画面を見る事ができ、待受け時の娯楽性が増す。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本実施の形態に係る携帯電話のブロック構成図である。
【図２】本実施の形態に係る携帯電話の概観図である。
【図３】本実施の形態に係る携帯電話の概観図である。
【図４】（Ａ）と（Ｂ）は、本実施の形態に係る５軸センサの構成図である。
【図５】本実施の形態に係る方位の分割例を示す図である。
【図６】（Ａ）と（Ｂ）は、本実施の形態に係る方位の決定例を示す図である。
【図７】実施例１に係る方位テーブルの内容例を示す図である。
【図８】実施例１に係る表・裏の定義例を示す図である。
【図９】実施例１に係る表・裏の定義例を示す図である。
【図１０】実施例１に係る表裏別テーブルの内容例を示す図である。
【図１１】実施例１に係る壁紙設定情報の一例を示す図である。
【図１２】本実施の形態に係る処理フローチャートである。
【図１３】本実施の形態に係る処理フローチャートである。
【図１４】実施例２に係る表・裏・中間の範囲例を示す図である。
【図１５】実施例２に係る表・裏・中間の決定例を示す図である。
【図１６】（Ａ）〜（Ｃ）は筐体の傾きを説明する図である。
【図１７】実施例２に係る表裏別テーブルの内容例を示す図である。
【図１８】実施例２に係る壁紙設定情報の一例を示す図である。
【符号の説明】
【００６０】
４  ＬＣＤ表示部、５  ５軸センサ、７  制御部、１１  ＣＰＵ、５１  加速度センサ、５２  磁気センサ、６１  壁紙データエリア、６２  壁紙設定情報、１４１  表裏別テーブル、１４２  方位テーブル。
【図１】
2006157182.tif 000003
【図２】
2006157182.tif 000004
【図３】
2006157182.tif 000005
【図４】
2006157182.tif 000006
【図５】
2006157182.tif 000007
【図６】
2006157182.tif 000008
【図７】
2006157182.tif 000009
【図８】
2006157182.tif 000010
【図９】
2006157182.tif 000011
【図１０】
2006157182.tif 000012
【図１１】
2006157182.tif 000013
【図１２】
2006157182.tif 000014
【図１３】
2006157182.tif 000015
【図１４】
2006157182.tif 000016
【図１５】
2006157182.tif 000017
【図１６】
2006157182.tif 000018
【図１７】
2006157182.tif 000019
【図１８】
2006157182.tif 000020